(57)【要約】【課題】アナログ信号に対して信号位相を調整して遅延差を吸収し、簡単な構成で無瞬断切替を実現する。【解決手段】無瞬断切替システムにおける切替回路は、二重化された伝送路を介して伝送された同一信号の相互相関をとって遅延差を検出し、遅延が小さい信号を徐々に伸長して遅延が大きい信号との遅延差を吸収し、その後に無瞬断切替を行う構成である。【選択図】  図１
2015012326.tif 000002
【特許請求の範囲】
【請求項１】
二重化された一方の伝送路を介して第１の通信装置と第２の通信装置が対向接続され、他方の伝送路を介して第３の通信装置と第４の通信装置が対向接続され、第１の通信装置および第３の通信装置に分岐回路を介して第１の端末装置が接続され、第２の通信装置または第４の通信装置に切替回路を介して第２の端末装置が接続され、第１の端末装置から分岐回路、第１の通信装置および第３の通信装置を介して二重化された伝送路に同一信号を送信し、二重化された伝送路を介して伝送された同一信号を第２の通信装置および第４の通信装置を介して切替回路に入力し、その一方の信号を切り替えて第２の端末装置に接続する無瞬断切替システムにおいて、
前記切替回路は、前記二重化された伝送路を介して伝送された同一信号の相互相関をとって遅延差を検出し、遅延が小さい信号を徐々に伸長して遅延が大きい信号との遅延差を吸収し、その後に無瞬断切替を行う構成である
ことを特徴とする無瞬断切替システム。
【請求項２】
請求項１に記載の無瞬断切替システムにおいて、
前記切替回路は、前記通信装置で用いる変調方式に応じた位相変動許容量の範囲で、前記遅延が小さい信号に対する遅延を変動させて遅延が大きい信号との遅延差を吸収する構成である
ことを特徴とする無瞬断切替システム。
【請求項３】
請求項２に記載の無瞬断切替システムにおいて、
前記切替回路は、サンプリング周波数ｆ1 のアナログ／デジタル変換器と、サンプリング周波数ｆ2 のデジタル／アナログ変換器を縦続接続し、双方のサンプリング周波数の差によって前記遅延が小さい信号に対する遅延を設定する構成である
ことを特徴とする無瞬断切替システム。
【請求項４】
二重化された一方の伝送路を介して第１の通信装置と第２の通信装置が対向接続され、他方の伝送路を介して第３の通信装置と第４の通信装置が対向接続され、第１の通信装置および第３の通信装置に分岐回路を介して第１の端末装置が接続され、第２の通信装置または第４の通信装置に切替回路を介して第２の端末装置が接続され、第１の端末装置から分岐回路、第１の通信装置および第３の通信装置を介して二重化された伝送路に同一信号を送信し、二重化された伝送路を介して伝送された同一信号を第２の通信装置および第４の通信装置を介して切替回路に入力し、その一方の信号を切り替えて第２の端末装置に接続する無瞬断切替方法において、
前記切替回路は、前記二重化された伝送路を介して伝送された同一信号の相互相関をとって遅延差を検出し、遅延が小さい信号を徐々に伸長して遅延が大きい信号との遅延差を吸収し、その後に無瞬断切替を行う
ことを特徴とする無瞬断切替方法。
【請求項５】
請求項４に記載の無瞬断切替方法において、
前記切替回路は、前記通信装置で用いる変調方式に応じた位相変動許容量の範囲で、前記遅延が小さい信号に対する遅延を変動させて遅延が大きい信号との遅延差を吸収する
ことを特徴とする無瞬断切替方法。
【請求項６】
請求項５に記載の無瞬断切替方法において、
前記切替回路は、サンプリング周波数ｆ1 のアナログ／デジタル変換器と、サンプリング周波数ｆ2 のデジタル／アナログ変換器を縦続接続し、双方のサンプリング周波数の差によって前記遅延が小さい信号に対する遅延を設定する
ことを特徴とする無瞬断切替方法。
【発明の詳細な説明】
【技術分野】
【０００１】
本発明は、二重化された伝送路に同一信号を送出し、伝送路の遅延差を吸収して伝送路切替を無瞬断で行う無瞬断切替システムおよび方法に関する。
【背景技術】
【０００２】
図４は、従来の切替システムの構成例を示す。
図４(1) において、対向する端末装置１１，１２は、それぞれ通信ビルのＭＤＦ（主配電盤）１３，１４を介して通信装置１５Ａ，１６Ａに接続される。通信装置１５Ａ，１６Ａは、伝送路（通信ネットワーク）１７Ａを介してユーザ端末１１，１２間の接続処理を行う。
【０００３】
このような通信システムは、経年劣化により故障率が増加するため、故障発生を未然に防ぐことを目的とした定期的な設備更改を実施する。その際、伝送路１７Ａに対して二重化する伝送路１７Ｂに通信装置１５Ｂ，１６Ｂを接続し、ユーザ端末１１，１２の接続先をＭＤＦ１３，１４を介して通信装置１５Ａ，１６Ａから通信装置１５Ｂ，１６Ｂに切り替える。具体的な作業工程では、通信装置１５Ｂ，１６Ｂから通信ビル内のＭＤＦ１３，１４の手前まで予め通信ケーブルの配線を行っておき、端末装置１１，１２のユーザから借用許可をとった後、通信装置１５Ａ，１６ＡとＭＤＦ１３，１４とを接続している通信ケーブルを取り外す。その後、通信装置１５Ｂ，１６ＢからＭＤＦ１３，１４の手前まで配線している通信ケーブルをＭＤＦ１３，１４に接続する。この際の通信ケーブル繋ぎ替えの時間がユーザのサービス断時間となるとともに、サービス断となる日程の調整を行う借用稼働が発生している。そのため、ユーザサービス断時間の抑制ならびに借用稼働の削減が課題となる。
【０００４】
本課題を解決するために、図４(2) に示すように、二重化された伝送路１７Ａ，１７Ｂに同一信号を送出し、伝送路を切り替える構成が提案されている。
【０００５】
分岐回路２１は、端末装置１１から送信された信号を２分岐し、同一信号を通信装置１５Ａ，１５Ｂに出力する。通信装置１５Ａ，１５Ｂは、二重化された伝送路１７Ａ，１７Ｂを介して対向する通信装置１６Ａ，１６Ｂにそれぞれ同一信号を送信する。切替回路２２は、通信装置１６Ａ，１６Ｂと端末装置１２との接続を切り替え、二重化された伝送路１７Ａ，１７Ｂを介して伝送された同一信号の一方を端末装置１２に接続する。
【０００６】
ただし、一般的には二重化された伝送路１７Ａ，１７Ｂの伝送遅延差が異なり、通信装置１５Ａ，１６Ａの装置遅延差が異なり、通信装置１５Ｂ，１６Ｂの装置遅延差が異なるので、切替装置２２で無瞬断切替を行うために、それらの遅延差を解消する処理が必要になる。
【０００７】
従来の無瞬断切替システムでは、二重化された伝送路の遅延差を測定し、その遅延差をメモリで吸収して無瞬断切替を実現する構成のものがある（特許文献１）。
【先行技術文献】
【特許文献】
【０００８】
【特許文献１】特許第３２３３３３２号
【発明の概要】
【発明が解決しようとする課題】
【０００９】
従来の無瞬断切替システムでは、メモリを用いて遅延差を吸収するために、アナログ信号をデジタル信号に変換し、さらにデジタル信号（パケット）の正常性および順序性を確認して無瞬断切替を行い、再度アナログ信号に変換して端末装置に送信することになる。そのため、図４(2) に示す切替回路２２の構成が複雑になり、処理負担が大きくなっていた。
【００１０】
本発明は、アナログ信号に対して信号位相を調整して遅延差を吸収し、簡単な構成で無瞬断切替を実現することができる無瞬断切替システムおよび方法を提供することを目的とする。
【課題を解決するための手段】
【００１１】
第１の発明は、二重化された一方の伝送路を介して第１の通信装置と第２の通信装置が対向接続され、他方の伝送路を介して第３の通信装置と第４の通信装置が対向接続され、第１の通信装置および第３の通信装置に分岐回路を介して第１の端末装置が接続され、第２の通信装置または第４の通信装置に切替回路を介して第２の端末装置が接続され、第１の端末装置から分岐回路、第１の通信装置および第３の通信装置を介して二重化された伝送路に同一信号を送信し、二重化された伝送路を介して伝送された同一信号を第２の通信装置および第４の通信装置を介して切替回路に入力し、その一方の信号を切り替えて第２の端末装置に接続する無瞬断切替システムにおいて、切替回路は、二重化された伝送路を介して伝送された同一信号の相互相関をとって遅延差を検出し、遅延が小さい信号を徐々に伸長して遅延が大きい信号との遅延差を吸収し、その後に無瞬断切替を行う構成である。
【００１２】
第１の発明の無瞬断切替システムにおいて、切替回路は、通信装置で用いる変調方式に応じた位相変動許容量の範囲で、遅延が小さい信号に対する遅延を変動させて遅延が大きい信号との遅延差を吸収する構成である。また、切替回路は、サンプリング周波数ｆ1 のアナログ／デジタル変換器と、サンプリング周波数ｆ2 のデジタル／アナログ変換器を縦続接続し、双方のサンプリング周波数の差によって遅延が小さい信号に対する遅延を設定する構成である。
【００１３】
第２の発明は、二重化された一方の伝送路を介して第１の通信装置と第２の通信装置が対向接続され、他方の伝送路を介して第３の通信装置と第４の通信装置が対向接続され、第１の通信装置および第３の通信装置に分岐回路を介して第１の端末装置が接続され、第２の通信装置または第４の通信装置に切替回路を介して第２の端末装置が接続され、第１の端末装置から分岐回路、第１の通信装置および第３の通信装置を介して二重化された伝送路に同一信号を送信し、二重化された伝送路を介して伝送された同一信号を第２の通信装置および第４の通信装置を介して切替回路に入力し、その一方の信号を切り替えて第２の端末装置に接続する無瞬断切替方法において、切替回路は、二重化された伝送路を介して伝送された同一信号の相互相関をとって遅延差を検出し、遅延が小さい信号を徐々に伸長して遅延が大きい信号との遅延差を吸収し、その後に無瞬断切替を行う。
【００１４】
第２の発明の無瞬断切替方法において、切替回路は、通信装置で用いる変調方式に応じた位相変動許容量の範囲で、遅延が小さい信号に対する遅延を変動させて遅延が大きい信号との遅延差を吸収する。また、切替回路は、サンプリング周波数ｆ1 のアナログ／デジタル変換器と、サンプリング周波数ｆ2 のデジタル／アナログ変換器を縦続接続し、双方のサンプリング周波数の差によって遅延が小さい信号に対する遅延を設定する。
【発明の効果】
【００１５】
本発明は、アナログ信号に対して信号位相を調整して遅延差を吸収することにより、端末装置間の通信に影響を与えることなく、無瞬断切替を実現することができる。
【図面の簡単な説明】
【００１６】
【図１】本発明の無瞬断切替システムの実施例構成を示す図である。
【図２】可変遅延挿入器２３の構成例を示す図である。
【図３】32ＱＡＭ信号のシンボルマッピングを示す図である。
【図４】従来の切替システムの構成例を示す図である。
【発明を実施するための形態】
【００１７】
図１は、本発明の無瞬断切替システムの実施例構成を示す。
図１において、分岐回路２１は、端末装置１１から送信された信号を２分岐し、同一のアナログ信号を通信装置１５Ａ，１５Ｂに出力する。通信装置１５Ａ，１５Ｂは、同一のアナログ信号をデジタル信号に変換し、二重化された伝送路１７Ａ，１７Ｂを介して対向する通信装置１６Ａ，１６Ｂに送信する。通信装置１６Ａ，１６Ｂは、受信した同一のデジタル信号をアナログ信号に変換して切替回路２２に出力する。切替回路２２は、通信装置１６Ａ，１６Ｂと端末装置１２との接続を切り替え、同一のアナログ信号の一方を端末装置１２に出力する。ここでは、端末装置１１から端末装置１２の信号方向について示すが、逆方向でも同様である。
【００１８】
本発明の特徴は、切替回路２２に可変遅延挿入器２３と遅延差検出器２４を備え、遅延差検出器２４で通信装置１６Ａ，１６Ｂから入力する同一のアナログ信号の相互相関をとって遅延差を検出し、可変遅延挿入器２３で遅延が小さい信号を伸長して遅延が大きい信号との遅延差が０になるように遅延差を調整し、その後にスイッチ部２５を制御して無瞬断切替を行うところにある。
【００１９】
可変遅延挿入器２３は、図２に示すように、サンプリング周波数ｆ1(＝１／Ｔ1 ）のアナログ／デジタル（Ａ／Ｄ）変換器２３１と、サンプリング周波数ｆ2(＝１／Ｔ2 ）のデジタル／アナログ（Ｄ／Ａ）変換器２３２を縦続接続した構成である。双方のサンプリング周波数の差によって、遅延が小さい信号に対して遅延時間を徐々に挿入することができる構成であり、端末装置１１，１２の通信を遮断することなく遅延を変動させることができる。
【００２０】
ただし、元の信号を伸ばすことにより周波数成分が変化するので、端末装置１１，１２の受信許容範囲でゆっくり遅延を挿入する必要がある。図３は、32ＱＡＭ信号のシンボルマッピングを示すが、シンボルの位相変動量が大きくなると、別のシンボル情報として扱われるので、位相変動許容量を算出してその範囲で位相を変動させる必要がある。例えば、図３に示す32ＱＡＭ信号の位相変動許容量は、位相の変動許容範囲が√2/2 、最大位相偏差が４（90°）、変調周波数1800Hzの周期が 555μs の場合、
555×(1/360)×(90/4)×(√2/2)＝24.6（μｓ）
となる。
【符号の説明】
【００２１】
１１，１２  端末装置
１３，１４  ＭＤＦ
１５，１６  通信装置
１７  伝送路
２１  分岐回路
２２  切替回路
２３  可変遅延挿入器
２４  遅延差検出器
２５  スイッチ部
【図１】
2015012326.tif 000003
【図２】
2015012326.tif 000004
【図３】
2015012326.tif 000005
【図４】
2015012326.tif 000006